(57)【要約】【課題】電源ユニットに対して着脱可能に取り付けられたセンサユニットのがたつきを抑制することができる。【解決手段】住宅の内部環境を測定可能とされたセンサユニット１０と、住宅の内部の壁体に固定されると共に、センサユニット１０が着脱可能に取り付けられ、センサユニット１０に電力を供給可能とされた電源ユニット２０と、センサユニット１０を囲うように壁体に固定され、当該壁体に固定された状態でセンサユニット１０を押圧する押圧部６４を有するカバープレート６０と、を具備し、センサユニット１０は、壁体の壁厚さ方向に直交する方向に突出すると共に押圧部６４に押圧される被押圧部１２を具備する。【選択図】図１
2020159948.tif 000002
【特許請求の範囲】
【請求項１】
住宅の内部環境を測定可能とされたセンサユニットと、
前記住宅の内部の壁体に固定されると共に、前記センサユニットが着脱可能に取り付けられ、前記センサユニットに電力を供給可能とされた電源ユニットと、
前記センサユニットを囲うように前記壁体に固定され、当該壁体に固定された状態で前記センサユニットを押圧する押圧部を有するカバー部と、
を具備し、
前記センサユニットは、
前記壁体の壁厚さ方向に直交する方向に突出すると共に前記押圧部に押圧される被押圧部を具備する、
センサ装置。
【請求項２】
前記センサユニット及び前記電源ユニットのうちの一方には、一対の係合部が設けられ、他方には、前記一対の係合部によって、前記壁体の壁厚さ方向に直交する方向に挟まれることで係合される被係合部が設けられる、
請求項１に記載のセンサ装置。
【請求項３】
前記押圧部には、前記被押圧部を受け入れる受入部が設けられている、
請求項１又は請求項２に記載のセンサ装置。
【請求項４】
前記センサユニット及び前記電源ユニットのうちの一方には、前記壁体の壁厚さ方向に突出する突部が設けられ、他方には、前記突部に対応する凹部が設けられている、
請求項１から請求項３までのいずれか一項に記載のセンサ装置。
【請求項５】
前記突部は、コネクタ部であり、
前記凹部は、前記コネクタ部と接続されるポート部である、
請求項４に記載のセンサ装置。
【請求項６】
前記壁体に固定されるコンセントユニット又は前記壁体に固定されるスイッチユニットを更に具備し、
前記カバー部は、
前記コンセントユニット又は前記スイッチユニットを囲うように前記壁体に固定される、
請求項１から請求項５までのいずれか一項に記載のセンサ装置。
【発明の詳細な説明】
【技術分野】
【０００１】
本発明は、住宅の内部に取り付けられるセンサ装置の技術に関する。
【背景技術】
【０００２】
従来、住宅内部の壁体に取り付けられるセンサ装置の技術は公知となっている。例えば、特許文献１に記載の如くである。
【０００３】
特許文献１には、建物内部の壁面に取り付けられ、地震揺動を検知する加速度センサーが設けられた片切りスイッチが記載されている。
【０００４】
上記片切りスイッチは、加速度センサーと、当該加速度センサーに電力を供給する電源部と、を備えている。ここで、上述のような片切りスイッチにおいては、メンテナンス性の観点から、加速度センサーを含む部分（センサユニット）は、電源部に対して着脱可能に取り付けられることが望ましい。
【０００５】
しかしながら、センサユニットを電源部に対して着脱可能に取り付けた場合、取り付け態様によっては、電源部に対するセンサユニットのがたつきが生じ易くなり、加速度センサーの検知に影響を及ぼすおそれがある。このため、着脱可能に取り付けられたセンサユニットのがたつきを抑制することができるセンサ装置が望まれる。
【先行技術文献】
【特許文献】
【０００６】
【特許文献１】特開２０１７−１８８４８６号公報
【発明の概要】
【発明が解決しようとする課題】
【０００７】
本発明は、以上の如き状況を鑑みてなされたものであり、その解決しようとする課題は、電源ユニットに対して着脱可能に取り付けられたセンサユニットのがたつきを抑制することができるセンサ装置を提供するものである。
【課題を解決するための手段】
【０００８】
本発明の解決しようとする課題は以上の如くであり、次にこの課題を解決するための手段を説明する。
【０００９】
即ち、請求項１においては、住宅の内部環境を測定可能とされたセンサユニットと、前記住宅の内部の壁体に固定されると共に、前記センサユニットが着脱可能に取り付けられ、前記センサユニットに電力を供給可能とされた電源ユニットと、前記センサユニットを囲うように前記壁体に固定され、当該壁体に固定された状態で前記センサユニットを押圧する押圧部を有するカバー部と、を具備し、前記センサユニットは、前記壁体の壁厚さ方向に直交する方向に突出すると共に前記押圧部に押圧される被押圧部を具備するものである。
【００１０】
請求項２においては、前記センサユニット及び前記電源ユニットのうちの一方には、一対の係合部が設けられ、他方には、前記一対の係合部によって、前記壁体の壁厚さ方向に直交する方向に挟まれることで係合される被係合部が設けられるものである。
【００１１】
請求項３においては、前記押圧部には、前記被押圧部を受け入れる受入部が設けられているものである。
【００１２】
請求項４においては、前記センサユニット及び前記電源ユニットのうちの一方には、前記壁体の壁厚さ方向に突出する突部が設けられ、他方には、前記突部に対応する凹部が設けられているものである。
【００１３】
請求項５においては、前記突部は、コネクタ部であり、前記凹部は、前記コネクタ部と接続されるポート部であるものである。
【００１４】
請求項６においては、前記壁体に固定されるコンセントユニット又は前記壁体に固定されるスイッチユニットを更に具備し、前記カバー部は、前記コンセントユニット又は前記スイッチユニットを囲うように前記壁体に固定されるものである。
【発明の効果】
【００１５】
本発明の効果として、以下に示すような効果を奏する。
【００１６】
請求項１においては、電源ユニットに対して着脱可能に取り付けられたセンサユニットのがたつきを抑制することができる。
【００１７】
請求項２においては、センサユニットのがたつきを抑制することができる。
【００１８】
請求項３においては、受入部によって被押圧部を受け入れることで、より好適にセンサユニットのがたつきを抑制することができる。
【００１９】
請求項４においては、電源ユニットに対するセンサユニットの位置決めが可能となる。
【００２０】
請求項５においては、コネクタ部及びポート部を利用して、電源ユニットに対するセンサユニットの位置決めが可能となる。
【００２１】
請求項６においては、センサユニットを囲うカバー部と、コンセントユニット又はスイッチユニットを囲うカバー部と、を兼用することができる。
【図面の簡単な説明】
【００２２】
【図１】本発明の第一実施形態に係るセンサ装置を示した前方斜視図。
【図２】センサ装置を示した分解斜視図。
【図３】電源ユニットにセンサユニットを取り付けた状態を示す前方斜視図。
【図４】電源ユニット及びセンサユニットを示す分解斜視図。
【図５】センサユニットを示した後方斜視図。
【図６】（ａ）電源ユニットにセンサユニットを取り付ける前の状態を示す断面図。（ｂ）電源ユニットにセンサユニットを取り付けた状態を示す断面図。
【図７】（ａ）取付枠にカバープレートを取り付ける前の状態を示す断面図。（ｂ）取付枠にカバープレートを取り付けた状態を示す断面図。
【図８】スイッチユニットを具備するセンサ装置を示した分解斜視図。
【図９】（ａ）第二実施形態に係るセンサユニットを示した後方斜視図。（ｂ）第二実施形態に係る電源ユニットを示した前方斜視図。
【発明を実施するための形態】
【００２３】
以下では、図中の矢印に基づいて、前後方向、左右方向及び上下方向を定義して説明を行う。
【００２４】
以下では、図１から図８までを用いて、本発明の第一実施形態に係るセンサ装置１について説明する。
【００２５】
センサ装置１は、住宅の内部環境を測定可能なものである。センサ装置１は、図１に示すように、住宅の内部の壁体に埋め込まれるように固定される。センサ装置１は、センサユニット１０、電源ユニット２０、コンセントユニット３０、電源ボックス４０、取付枠５０及びカバープレート６０を具備する。
【００２６】
図１から図５までに示すセンサユニット１０は、住宅の内部環境を測定可能なセンサを有するものである。センサユニット１０は、気圧を測定可能な気圧センサや温度を測定可能な温度センサ、揺れを測定可能な加速度センサ、人の所在を検知する人感センサを有している。なお、センサユニット１０に設けられるセンサとしては、上述したものに限られず、種々のセンサを採用可能である。センサユニット１０は、本体部１１、被押圧部１２、段部１３、係合部１４、突部１５及びコネクタ部１６を具備する。
【００２７】
本体部１１は、センサユニット１０の大部分を構成するものである。本体部１１には、上述したセンサが内蔵される。本体部１１は、図４及び図５に示すように、正面視（背面視）において略矩形状とされている。また、本体部１１は、厚さ方向を前後方向に沿わせた板形状とされている。本体部１１は、制御部１１ａを有する。
【００２８】
図５に示す制御部１１ａは、上記センサに関する処理を実行可能なものである。制御部１１ａは、所定の演算処理装置や記憶装置を有する。制御部１１ａは、プログラムや種々の情報を記憶装置に格納しており、当該プログラムや種々の情報を演算処理装置で読み込んで処理することで、センサに関する処理を実行することができる。また、制御部１１ａは、センサによる測定結果を記憶装置に格納可能とされている。また、制御部１１ａは、センサ装置１の外部の機器との通信が可能な通信装置を有する。これにより、外部の機器からの情報の受信や、当該制御部１１ａによる処理の結果の送信等が可能となる。
【００２９】
図５から図７までに示す被押圧部１２は、本体部１１から、左右方向に突出する部分である。被押圧部１２は、本体部１１の後面に設けられる。被押圧部１２は、突出方向先端部が、本体部１１の側面（左面及び右面）よりも左右方向外側に位置する。被押圧部１２は、平面視において、突出方向先端部が湾曲面形状とされている。被押圧部１２は、本体部１１の上側部に左右一対設けられる。また、被押圧部１２は、本体部１１の下側部に左右一対設けられる。すなわち、本実施形態では、四つの被押圧部１２を設けた例を示している。
【００３０】
段部１３は、本体部１１の後面において、後方に突出する段差を形成する部分である。段部１３は、本体部１１の左右方向略中央部に設けられる。また、段部１３は、本体部１１の略下端部から、当該本体部１１の上下方向中途部に亘って設けられる。
【００３１】
係合部１４は、後述する電源ユニット２０の被係合部２５に係合する部分である。係合部１４は、左右方向に離間して一対設けられる。係合部１４は、段部１３の左右方向両端部から、後方に突出するように設けられる。係合部１４は、段部１３の上下方向略中央部に設けられる。係合部１４は、厚さ方向を左右方向に沿わせた略板形状とされている。一対の係合部１４は、突出方向先端部が互いに離間及び近接する方向に弾性変形可能とされている。係合部１４は、爪部１４ａを有する。
【００３２】
爪部１４ａは、係合部１４の後部において、左右方向内側に向かって突出する部分である。爪部１４ａは、平面視において、突出方向先端側に向かうに従い先細り形状となるような傾斜面により構成される。
【００３３】
突部１５は、段部１３の後面において後方に突出する部分である。突部１５は、段部１３の左右方向略中央部に設けられる。また、突部１５は、段部１３の上側部に設けられる。突部１５は、略四角錐台形状とされている。
【００３４】
図５に示すコネクタ部１６は、センサユニット１０を、当該センサユニット１０の外部の機器（後述する接続部２２）に対して接続するための部分である。コネクタ部１６は、後述する電源ユニット２０のポート部２７と接続される。コネクタ部１６を介して、後述する電源ユニット２０からセンサユニット１０への電力の供給が可能とされる。コネクタ部１６は、段部１３の後面において後方に突出するように設けられる。図例では、コネクタ部１６は、突部１５の下方に設けられている。
【００３５】
図３、図４、図６及び図７に示す電源ユニット２０は、壁体に固定されると共に、センサユニット１０が着脱可能に取り付けられるものである。電源ユニット２０は、系統電源等の所定の電力供給源から供給された電力を、センサユニット１０に対して供給可能とされている。電源ユニット２０は、電源部２１及び接続部２２を具備する。
【００３６】
図３及び図４に示す電源部２１は、センサユニット１０に電力を供給するものである。電源部２１は、壁体の内部に配置された所定の配線を介して、電力供給源に接続される。電源部２１は、電力供給源からの電力を蓄電可能とされている。これにより、電源部２１は、停電により系統電源等からの電力の供給が停止した場合でも、センサユニット１０に電力を供給することができる。電源部２１は、正面視において略矩形状とされている。
【００３７】
接続部２２は、センサユニット１０が接続されるものである。接続部２２は、電源部２１の前方に設けられ、当該電源部２１を介した電力が供給される。接続部２２は、本体部２３、段部２４、被係合部２５、凹部２６及びポート部２７を具備する。
【００３８】
本体部２３は、接続部２２の大部分を構成するものである。本体部２３は、厚さ方向を前後方向（壁体の厚さ方向）に沿わせた板形状とされている。本体部２３は、正面視において、電源部２１に概ね対応した略矩形状とされている。
【００３９】
段部２４は、本体部２３の前面において、前方に突出する段差を形成する部分である。段部２４は、本体部２３の左右方向略中央部に設けられる。また、段部２４は、本体部２３の略上端部から、当該本体部２３の上下方向中途部に亘って設けられる。
【００４０】
被係合部２５は、センサユニット１０の係合部１４が係合される部分である。被係合部２５は、係合部１４に対応するように、段部２４の左右方向両端部に設けられる。被係合部２５は、図４に示すように、段部２４の左右方向両端部における上下方向略中央部を切り欠いた形状とされている。被係合部２５は、図６（ｂ）に示すように、一対の係合部１４に、左右方向に挟まれることで係合される。これにより、電源ユニット２０に対するセンサユニット１０の左右方向の移動が抑制される。被係合部２５が係合部１４に係合された状態では、段部２４の前面と、段部１３の後面と、が当接する。これにより、電源ユニット２０に対するセンサユニット１０の後方への移動が抑制される。また、被係合部２５は、凹溝部２５ａ及び前壁部２５ｂを有する。
【００４１】
図４及び図６に示す凹溝部２５ａは、被係合部２５において左右方向中央側に向けてへこむように（凹形状となるように）形成される部分である。凹溝部２５ａは、係合部１４の爪部１４ａに対応する位置に設けられる。凹溝部２５ａに爪部１４ａが嵌合されることで、電源ユニット２０に対するセンサユニット１０の前方への移動が抑制される。以上のように、係合部１４が被係合部２５に係合することで、電源ユニット２０に対してセンサユニット１０が取り付けられる。
【００４２】
前壁部２５ｂは、凹溝部２５ａの前側の壁部を構成するものである。前壁部２５ｂは、凹溝部２５ａの底面から左右方向外側に突出するように設けられる。
【００４３】
図４に示す凹部２６は、段部２４の前面に設けられた部分である。凹部２６は、前方に開口するように設けられる。凹部２６は、段部２４の左右方向略中央部に設けられる。また、凹部２６は、段部２４の上側部に設けられる。凹部２６は、突部１５に対応した略四角錐台形状とされている。凹部２６は、係合部１４が被係合部２５に係合した状態で、突部１５が嵌合される。
【００４４】
凹部２６に突部１５を嵌合させた状態では、電源ユニット２０に対するセンサユニット１０の上下方向や左右方向の移動が抑制される。これにより、電源ユニット２０に対するセンサユニット１０のがたつきを抑制することができる。また、上記構成としたことで、凹部２６及び突部１５を、電源ユニット２０に対してセンサユニット１０を取り付ける際の位置決めとして利用することができる。
【００４５】
ポート部２７は、センサユニット１０のコネクタ部１６に接続される部分である。ポート部２７は、段部２４の前面に設けられる。ポート部２７は、前方に開口するように設けられ、コネクタ部１６が挿通される差込口を構成する。図例では、ポート部２７は、凹部２６の下方に設けられている。ポート部２７を介して、電源ユニット２０の電源部２１からセンサユニット１０への電力の供給が可能となる。
【００４６】
上述の如きセンサユニット１０は、以下のようにして、電源ユニット２０に対して取付可能である。
【００４７】
まず、図６（ａ）に示すように、センサユニット１０の突部１５を、電源ユニット２０の凹部２６に嵌合させるように、電源ユニット２０に対するセンサユニット１０の位置決め行う。
【００４８】
次に、センサユニット１０を、電源ユニット２０に対して近接するように後方に移動させる。この際、係合部１４の突出方向先端部（爪部１４ａ）が、被係合部２５の前壁部２５ｂに当接すると共に、一対の係合部１４の突出方向先端部が互いに離間するように変形する。また、更にセンサユニット１０を後方に移動させることで、爪部１４ａが、前壁部２５ｂを乗り越え、図６（ｂ）に示すように、当該爪部１４ａが凹溝部２５ａに嵌合する。これにより、センサユニット１０は電源ユニット２０に対して取り付けられる。
【００４９】
また、電源ユニット２０に取り付けられたセンサユニット１０を、一定以上の力で前方に移動させれば、一対の係合部１４の突出方向先端部が互いに離間するように変形すると共に、爪部１４ａが、前壁部２５ｂを乗り越え、当該爪部１４ａが凹溝部２５ａから外れる。これにより、センサユニット１０を、電源ユニット２０に対して取り外すことができる。すなわち、センサユニット１０は、前後方向に移動することで電源ユニット２０に対する着脱が可能となる。
【００５０】
図２に示すコンセントユニット３０は、電力を取り出す受け口を構成するものである。コンセントユニット３０は、壁体に設けられる配線器具として設置される。コンセントユニット３０は、電源ユニット２０の下方に配置される。コンセントユニット３０は、電源部３１、コンセント部３２及びコンセントプレート３３を具備する。
【００５１】
電源部３１は、壁体の内部に配置された所定の配線を介して、電力供給源に接続されるものである。電源部３１は、壁体に固定される。電源部３１は、正面視において略矩形状とされている。
【００５２】
コンセント部３２は、所定の差込プラグが接続される（差し込まれる）部分である。コンセント部３２は、電源部３１の前方に設けられる。コンセント部３２は、正面視において略矩形状とされている。図例では、コンセント部３２は、電源部３１よりも左右寸法が小さく形成されている。
【００５３】
コンセントプレート３３は、コンセント部３２の側周面（上面、下面、左右両側面）を囲うものである。コンセントプレート３３は、四方枠形状とされている。コンセントプレート３３を設けることで、電源部３１等、コンセント部３２の周囲の部分を覆うことができる。コンセントプレート３３は、後述する取付枠５０に取り付けられる。
【００５４】
電源ボックス４０は、壁体に固定されるものである。電源ボックス４０は、図１に示すように、壁面に形成された開口を介して、壁体の内部において桟木等の下地に固定される。電源ボックス４０は、四方枠形状とされている。電源ボックス４０は、四方枠を構成する上辺部及び下辺部のそれぞれに、止具が挿通される止具挿通孔４１が設けられている。止具挿通孔４１は、上辺部及び下辺部を前後方向に貫通するように設けられている。
【００５５】
図２及び図７に示す取付枠５０は、電源ユニット２０及びコンセントユニット３０を保持するものである。取付枠５０は、四方枠形状とされている。取付枠５０は、枠内の上側部において、電源ユニット２０が所定の取付手段を介して取り付けられる。また、取付枠５０は、枠内の下側部において、コンセントユニット３０が所定の取付手段を介して取り付けられる。取付枠５０は、電源ボックス４０に固定される。取付枠５０は、止具挿通孔５１及び被係合部５２を具備する。
【００５６】
止具挿通孔５１は、止具が挿通される孔である。止具挿通孔５１は、取付枠５０の上辺部及び下辺部のそれぞれに、当該上辺部及び当該下辺部を前後方向に貫通するように形成される。止具挿通孔５１は、正面視において、電源ボックス４０の止具挿通孔４１と重複する。取付枠５０の止具挿通孔５１及び電源ボックス４０の止具挿通孔４１に止具を挿通することで、取付枠５０及び電源ボックス４０を一体的に固定することができる。これにより、取付枠５０及び電源ボックス４０を介して、電源ユニット２０及びコンセントユニット３０を壁体に固定することができる。
【００５７】
被係合部５２は、後述するカバープレート６０の係合部６２が係合されるものものである。被係合部５２は、取付枠５０の前面において前方に開口するように設けられる。被係合部５２は、取付枠５０の上辺部の左右方向両端部及び下辺部の左右方向両端部にそれぞれ一対設けられる。すなわち、被係合部５２は、正面視において、取付枠５０の四隅に設けられる。
【００５８】
図２及び図７に示すカバープレート６０は、センサユニット１０及びコンセントプレート３３（コンセントユニット３０）を囲うものである。カバープレート６０は、四方枠形状とされている。カバープレート６０は、取付枠５０を覆うように、当該取付枠５０に固定される。カバープレート６０は、前面部６１、側面部６３及び押圧部６４を具備する。
【００５９】
前面部６１は、カバープレート６０の前面を構成する部分である。前面部６１は、取付枠５０の前面を覆うように設けられる。前面部６１は、正面視において、取付枠５０の前面に対応した形状とされる。前面部６１は、係合部６２を有する。
【００６０】
係合部６２は、取付枠５０の被係合部５２に係合する部分である。係合部６２は、前面部６１の後面から後方に突出するように設けられる。係合部６２は、被係合部５２に対応する位置に設けられる。すなわち、係合部６２は、上辺部の左右方向両端部及び下辺部の左右方向両端部にそれぞれ一対設けられる。係合部６２は、厚さ方向を左右方向に沿わせた略板形状とされている。一対の係合部６２は、突出方向先端部が互いに離間及び近接する方向に弾性変形可能とされている。係合部６２は、爪部６２ａを有する。
【００６１】
爪部６２ａは、係合部６２の後部において、左右方向内側に向かって突出する部分である。爪部６２ａは、平面視において、突出方向先端側に向かうに従い先細り形状となるような傾斜面により構成される。爪部６２ａが、被係合部５２に対して係合することで、取付枠５０に対してカバープレート６０が取り付けられる。
【００６２】
側面部６３は、カバープレート６０の外周面（上面、下面、左右両側面）を構成する部分である。側面部６３は、前面部６１の外周縁部から後方に突出するように設けられる。側面部６３は、上記外周縁部の全周に亘って設けられる。側面部６３は、取付枠５０の外周面（上面、下面、左右両側面）を覆うように設けられる。
【００６３】
押圧部６４は、カバープレート６０の内周面を構成する部分である。押圧部６４は、前面部６１の内周縁部から後方に突出するように設けられる。押圧部６４は、上記内周縁部の全周に亘って設けられる。押圧部６４は、カバープレート６０が取付枠５０に対して取り付けられた状態で、突出方向先端部が、センサユニット１０の被押圧部１２を押圧する。押圧部６４は、受入部６５を具備する。
【００６４】
受入部６５は、被押圧部１２を受け入れる部分である。受入部６５は、被押圧部１２に対応する位置に設けられる。すなわち、本実施形態では、四つの受入部６５が設けられる。受入部６５は、押圧部６４の突出方向先端部を、左右方向内側及び後方に開口するように切り欠いた形状とされている。また、受入部６５は、被押圧部１２に対応した形状とされている。
【００６５】
カバープレート６０が取付枠５０に対して取り付けられた状態では、図７（ｂ）に示すように、被押圧部１２の左右方向外側に突出した部分が、受入部６５に受け入れられる。この状態では、受入部６５の後面（底面）が、被押圧部１２の前面を押圧する。これにより、電源ユニット２０に対するセンサユニット１０のがたつきを抑制することができる。また、電源ユニット２０に対するセンサユニット１０の外れ（抜け）を抑制することができる。
【００６６】
また、受入部６５が被押圧部１２を受け入れた状態では、受入部６５の左右方向内側面と被押圧部１２の突出方向先端面（左右方向外側面）とが当接する。これにより、電源ユニット２０に対するセンサユニット１０の左右方向のがたつきを抑制することができる。
【００６７】
また、受入部６５が被押圧部１２を受け入れた状態では、受入部６５の上面及び下面と被押圧部１２の上面及び下面とが当接する。これにより、電源ユニット２０に対するセンサユニット１０の上下方向のがたつきを抑制することができる。
【００６８】
なお、上述した例では、取付枠５０に、コンセントユニット３０を取り付けた例を示したが、このような態様に限られない。例えば、図８に示すように、コンセントユニット３０に代えてスイッチユニット３０Ａを設けた構成としてもよい。
【００６９】
スイッチユニット３０Ａは、照明等の所定の電化製品の操作を行うものである。スイッチユニット３０Ａは、電源ユニット２０の下方に配置される。スイッチユニット３０Ａは、電源部３１Ａ、スイッチ部３２Ａ及びスイッチプレート３３Ａを具備する。
【００７０】
電源部３１Ａは、コンセントユニット３０の電源部３１と同様、壁体の内部に配置された所定の配線を介して、電力供給源に接続されるものである。電源部３１Ａは、壁体に固定される。電源部３１Ａは、正面視において略矩形状とされている。
【００７１】
スイッチ部３２Ａは、押圧されることで、所定の電化製品に対するオンオフ等の操作が可能とされた部分である。スイッチ部３２Ａは、正面視において略矩形状とされている。
【００７２】
スイッチプレート３３Ａは、スイッチ部３２Ａの前面を覆うものである。スイッチプレート３３Ａは、厚さ方向を前後方向に沿わせた略板形状とされている。スイッチプレート３３Ａは、取付枠５０に取り付けられる。
【００７３】
取付枠５０に対してカバープレート６０が取り付けられた状態では、スイッチプレート３３Ａは、カバープレート６０によって囲われる。
【００７４】
上述したように、本実施形態では、共通のカバープレート６０によって、コンセントユニット３０又はスイッチプレート３３Ａと、センサユニット１０と、を囲う構成としている。
【００７５】
また、カバープレート６０の押圧部６４は、センサユニット１０のみならず、コンセントプレート３３及びスイッチプレート３３Ａを押圧することも可能である。この場合は、コンセントプレート３３及びスイッチプレート３３Ａに、被押圧部１２と概ね同様な被押圧部を設け、押圧部６４に、当該被押圧部を受け入れ可能な受入部を設けるようにしてもよい。
【００７６】
以上の如く、本実施形態に係るセンサ装置１は、
住宅の内部環境を測定可能とされたセンサユニット１０と、
前記住宅の内部の壁体に固定されると共に、前記センサユニット１０が着脱可能に取り付けられ、前記センサユニット１０に電力を供給可能とされた電源ユニット２０と、
前記センサユニット１０を囲うように前記壁体に固定され、当該壁体に固定された状態で前記センサユニット１０を押圧する押圧部６４を有するカバープレート６０（カバー部）と、
を具備し、
前記センサユニット１０は、
前記壁体の壁厚さ方向に直交する方向に突出すると共に前記押圧部６４に押圧される被押圧部１２を具備するものである。
【００７７】
このように構成することにより、電源ユニット２０に対して着脱可能に取り付けられたセンサユニット１０のがたつきを抑制することができる。すなわち、電源ユニット２０に対してセンサユニット１０を着脱可能としながらも、カバープレート６０の押圧部６４によって、センサユニット１０を押圧することで、センサユニット１０のがたつきを抑制することができる。また、電源ユニット２０に対するセンサユニット１０の外れ（抜け）を抑制することができる。また、壁厚さ方向に直交する方向に突出する被押圧部１２を設けたことで、押圧部６４によって押圧させ易い構成とすることができ、より好適にセンサユニット１０のがたつきを抑制することができる。
【００７８】
また、前記センサユニット１０及び前記電源ユニット２０のうちの一方には、一対の係合部１４が設けられ、他方には、前記一対の係合部１４によって、前記壁体の壁厚さ方向に直交する方向に挟まれることで係合される被係合部２５が設けられるものである。
【００７９】
このように構成することにより、センサユニット１０のがたつきを抑制することができる。すなわち、一対の係合部１４を被係合部２５に係合させることで、センサユニット１０の壁厚さ方向に直交する方向のがたつきを抑制することができる。
【００８０】
また、前記押圧部６４には、前記被押圧部１２を受け入れる受入部６５が設けられているものである。
【００８１】
このように構成することにより、受入部６５によって被押圧部１２を受け入れることで、より好適にセンサユニット１０のがたつきを抑制することができる。
【００８２】
また、前記センサユニット１０及び前記電源ユニット２０のうちの一方には、前記壁体の壁厚さ方向に突出する突部１５が設けられ、他方には、前記突部１５に対応する凹部２６が設けられているものである。
【００８３】
このように構成することにより、電源ユニット２０に対するセンサユニット１０の位置決めが可能となる。また、電源ユニット２０に対するセンサユニット１０の壁厚さ方向に直交する方向のがたつきを抑制することができる。
【００８４】
また、センサ装置１は、前記壁体に固定されるコンセントユニット３０又は前記壁体に固定されるスイッチユニット３０Ａを更に具備し、
前記カバープレート６０は、
前記コンセントユニット３０又は前記スイッチユニット３０Ａを囲うように前記壁体に固定されるものである。
【００８５】
このように構成することにより、センサユニットを囲うカバープレート６０と、コンセントユニット３０又はスイッチユニット３０Ａを囲うカバープレート６０と、を兼用することができる。
【００８６】
なお、本実施形態に係るカバープレート６０は、本発明に係るカバー部の実施の一形態である。
【００８７】
以上、本発明の実施形態を説明したが、本発明は上記構成に限定されるものではなく、特許請求の範囲に記載された発明の範囲内で種々の変更が可能である。例えば、センサ装置１を、図９に示す本発明の第二実施形態に係る構成としてもよい。
【００８８】
第二実施形態に係るセンサ装置１は、センサユニット１０及び電源ユニット２０の構成が、上記第一実施形態と異なる。具体的には、第二実施形態に係るセンサ装置１は、センサユニット１０に突部１５を設けず、また、電源ユニット２０に凹部２６を設けていない点で上記第一実施形態と異なる。
【００８９】
また、本実施形態では、センサユニット１０の本体部１１において、上記第一実施形態において突部１５が設けられていた部分に、コネクタ部１６を設けている。また、電源ユニット２０の本体部２３において、凹部２６が設けられていた部分に、ポート部２７を設けている。第二実施形態に係るセンサ装置１は、上述した構成を除いて、上記第一実施形態に係るセンサ装置１と概ね同様である。
【００９０】
上記構成としたことで、コネクタ部１６及びポート部２７を、電源ユニット２０に対するセンサユニット１０の位置決めとして利用することができる。また、突部１５及び凹部２６を設けない構成としたことで、構成の簡略化を図ることができる。
【００９１】
なお、本実施形態で示した、コネクタ部１６及びポート部２７の位置は一例であり、コネクタ部１６及びポート部２７を設ける位置としては、種々の態様を採用可能である。
【００９２】
以上の如く、本実施形態に係るセンサ装置１は、
前記突部は、コネクタ部１６であり、
前記凹部は、前記コネクタ部１６と接続されるポート部２７であるものである。
【００９３】
このように構成することにより、コネクタ部１６及びポート部２７を利用して、電源ユニット２０に対するセンサユニット１０の位置決めが可能となる。
【００９４】
なお、上記第一実施形態では、センサユニット１０に突部１５を設け、電源ユニット２０に凹部２６を設けた例を示したが、このような構成に限られない。例えば、センサユニット１０に凹部２６を設け、電源ユニット２０に突部１５を設けた構成としてもよい。
【００９５】
また、上記各実施形態では、センサユニット１０にコネクタ部１６を設け、電源ユニット２０にポート部２７を設けた例を示したが、このような構成に限られない。例えば、センサユニット１０にポート部２７を設け、電源ユニット２０にコネクタ部１６を設けた構成としてもよい。また、コネクタ部１６及びポート部２７を設けない構成としてもよい。
【００９６】
また、上記各実施形態では、センサユニット１０に係合部１４を設け、電源ユニット２０に被係合部２５を設けた例を示したが、このような構成に限られない。例えば、センサユニット１０に被係合部２５を設け、電源ユニット２０に係合部１４を設けた構成としてもよい。
【００９７】
また、上記各実施形態では、係合部１４を被係合部２５に係合させることで、電源ユニット２０に対してセンサユニット１０を取り付ける構成としたが、このような態様に限られない。例えば、所定のスライド手段を介して電源ユニット２０に対してセンサユニット１０をスライドさせて取り付ける構成としてもよく、電源ユニット２０に対するセンサユニット１０の取付態様としては、種々の態様を採用可能である。
【００９８】
また、上記各実施形態では、押圧部６４に受入部６５を設けた例を示したが、このような態様に限られない。例えば、押圧部６４に受入部６５を設けない構成としてもよい。
【００９９】
また、上記各実施形態では、コンセントユニット３０又はスイッチユニット３０Ａを具備すると共に、カバープレート６０を、コンセントユニット３０又はスイッチユニット３０Ａを囲うように壁体に固定される構成としたが、このような態様に限られない。例えば、壁体に埋め込み状に設けられる種々の機器を、カバープレート６０の枠内に配置し、センサ装置１と一体に設けるようにしてもよい。また、センサユニット１０及び電源ユニット２０のみをカバープレート６０の枠内に配置するようにしてもよい。
【０１００】
また、上記各実施形態では、センサユニット１０に制御部１１ａを内蔵させる構成としたが、このような態様に限られない。例えば、電源ユニット２０に制御部１１ａを内蔵させる構成としてもよい。この場合は、コネクタ部１６及びポート部２７を介して、センサユニット１０（本体部１１）が内蔵するセンサによる測定結果を、電源ユニット２０の制御部１１ａに送信する構成を採用可能である。
【符号の説明】
【０１０１】
１      センサ装置
１０    センサユニット
１２    被押圧部
１４    係合部
１５    突部
１６    コネクタ部
２０    電源ユニット
２５    被係合部
２６    凹部
２７    ポート部
３０    コンセントユニット
３０Ａ  スイッチユニット
６０    カバープレート（カバー部）
６４    押圧部
６５    受入部
【図１】
2020159948.tif 000003
【図２】
2020159948.tif 000004
【図３】
2020159948.tif 000005
【図４】
2020159948.tif 000006
【図５】
2020159948.tif 000007
【図６】
2020159948.tif 000008
【図７】
2020159948.tif 000009
【図８】
2020159948.tif 000010
【図９】
2020159948.tif 000011